(57)【要約】      （修正有）【課題】上製本、並製本表紙を表紙型枠を使って手作りで作製が出来、市販製品並みの各種書籍を個人、グループで手軽に作成する手段を提供する。【解決手段】紙揃え器は、紙置き台の書籍背表紙側に背面補助板と上面側には上面紙揃え板を設け、これらを支えとして書籍用紙を背表紙側を中心に紙揃えをする。紙揃え器で固定された用紙は、糊付けバインダーの固着位置を一定とするため、紙置き台に密着した位置で糊付けバインダーをはめ、用紙を固着保持した後、紙揃え器を外し製本作業台の用紙受け口４１に移し、用紙の糊付け面を上にして、糊付けバインダーで圧着固定した用紙を置いて、熱溶融接着剤を用紙層間にまで強く塗りこみ、更に加熱プレート４２と加熱バインダー４３より背表紙の加熱圧着による整形接着を行った上、冷却段階においても更に加圧整形して冷却し製本する。【選択図】図３
2018001452.tif 000002
【特許請求の範囲】
【請求項１】
書籍製本の用紙揃え器に関して、紙置き台の背表紙側に背面補助板を取り付け、この中間部で紙置き台との間にガイドスリットを設け、このガイドスリットの中で上下する用紙圧着板を取り付ける。用紙圧着板は直行する２面を持つＬ型材を用い、１面を紙抑え部とし、他の面には、斜めに切られた支点ガイド溝と、これに嵌まる引張り力変換支点を背面補助板上に設け、パッチン錠での用紙圧着板の側面からの引張り力を変換して、用紙を紙置き台に圧着保持する構造とする。
またパッチン錠の引張りアームにはアーム調整ボルトと圧着幅調整ネジを設け、書籍用紙の厚さに合わせて圧着幅を調整できる構造とする。
【請求項２】
糊付けバインダーは、２本の挟み板の１端に貫通穴を設け、この貫通穴に締め付け用のコイルばねを嵌めた連結ボルトを通し、用紙の厚さに合わせて締圧を調整する締圧調整ネジと、連結ボルトの脇に挟み板を少し開いて用紙の挿し込みを容易とする作業幅調整ネジを設けた構造とする。２本の挟み板の他端の一方には台座を設けて請求項１と同様にアーム調整ボルト、締圧調整ネジを設けたパッチン錠を取り付け、他の挟み板には、圧着幅調整ネジの嵌め込み用のスリットを設けた構造とする。
【請求項３】
糊付けした書籍用紙と表紙の接着及びその冷却に関し、請求項２と同様に加熱バインダーと圧着受け板の両者に設けた貫通穴と、締め付け用のコイルばねを嵌めた連結ボルト、締圧を調整する締圧調整ネジ、及び連結ボルトの脇に用紙の挿し込みを容易とする作業幅調整ネジを設け、これを加熱ヒーターの上に置いて加熱する構造とする。糊付けを終えた書籍用紙は、表紙に包んで加熱バインダーと圧着受け板の間に挿し込み加熱後、これを圧着受け板側の製本作業台に取り付けられた、パッチン錠で加熱バインダーを引きつけ圧着する製本糊付け方式。
更にこれと同一構造の圧着冷却台で、表紙加熱圧着後の書籍を挿し込み冷却バインダーと圧着受け板の間に入れて、圧着冷却することで、最初の紙揃えを糊付け―接着―冷却まで連続的に圧着保持する製本方式。
【請求項４】
表紙作製板は作業板と表紙型枠及び嵌め込み調整板で構成され、作業板の上下には、表紙型枠の嵌まる型枠受けガイドを設け、表紙型枠は、上製本の背表紙左右の折白を取る耳白棒と可動耳白棒を上下で繋ぐ耳白棒保持枠で構成する。
可動耳白棒には上下の耳白保持枠内で可動するスライドバーを設け、この上下スライドバーにより、両耳白棒の間隔を背表紙幅に合わせた後、耳白棒固定ネジによって耳白保持枠にスライドバーを固定出来る構造とする。次に表紙用紙を作業板上で表紙型枠に合わせて挟んだ上、簡易パッチン錠によって作業板に固定し、上製本表、裏、背表紙の芯材を型枠に沿って接着する構造とする。
更に作業板の裏面には、上下に平行の表紙ガイドを設け、これと直行する片方の側面に筋付け突起と、これと対となる筋付け調整突起を設けた嵌め込み調整板を作業板表面の上下の型枠受けガイドに嵌めて、これをスライドして、両筋つけ突起の間隔を背表紙幅に合わせた後、表紙用紙を乗せて、背表紙位置を合わせてたうえ、ローラで抑えて筋付けし、１台の作業板で並製本、上製本表紙を作成する表紙作製治具。
【発明の詳細な説明】
【技術分野】
【０００１】
自分史、絵本、画集など少数の自費出版書籍を手作りで、上製本、並製本ともに市販製品並みに製本出来る書籍の手作り治具である。
【背景技術】
【０００２】
製本方式は週刊誌などの中綴じ（ホッチキス綴じ）、無線綴じ、糸綴じなど各種あるが本発明は熱溶融の接着剤を用いた無線綴じ、糸綴じ製本について適用する。
【０００３】
無線綴じ製本の機材は、全自動化の大型印刷製本システム、表紙作成、製本用の優れた性能の個別機械など出版社向けの大型機械は各種がある。
【０００４】
また低コスト少部数用の製本機も各種あるが、これらは、薄手の配布資料などの製本を主体に利用され、画集、絵本など厚手の用紙及び多頁の書籍では、書籍背表紙の糊付けが用紙背面の切断面のみの接着で、用紙間には糊が浸透せず強度が取れず不向きで有る。
【０００５】
個人で利用できる低コストで並製本、上製本と、その表紙作成まで一貫して作成出来る適切な機材は現在市場には存在しない。
【先行技術文献】
【特許文献】
【０００６】
【特許文献１】特開２０１６−０４１５０２号公報
【発明の概要】
【０００７】
本発明は個人、グループ向けの上製本まで可能な製本器で、現在出願中の上記先行技術文献の機能と作業性を大幅改善し、その改善要素に関する発明である。
【発明が解決しようとする課題】
【０００８】
個人、グループで手軽に利用の出来る低価格製本機は、書籍用紙の背面部と表紙の間に熱溶融の接着剤を挟んで加熱するものが殆どであるが、この場合、接着剤は用紙の間に十分浸透せず厚手用紙の書籍又は多頁の書籍では強度不足となり往々にして紙抜けが起こる。また、紙揃えについても低価格の適切な治具はなく、治工具など無しの通常の紙揃えでは、紙揃えが不十分で接着剤が行き渡らず、紙抜けの大きな原因となる。
【０００９】
また先行技術文献による方式も、紙揃え治具を２分割することと、揃えた用紙を強いクリップで圧着固定することは作業性が悪く、また加熱溶融の接着剤の紙間に塗布時に必要なアイロンなどでの強い押し込み力による用紙ずれ、などでのミスを誘発する。
【００１０】
加熱バインダーに挟んでの表紙の加熱接着について、表紙に挟んだ書籍背表紙部を所定の時間安定して加熱した後、用紙の緩み、接着漏れを防ぐため、背表紙部を強く圧着する必要があり、クリップでの圧着固定は不安定で作業ミスを誘発しやすい。加熱バインダーの操作性の向上と確実性を確保することが必要なことが判明した。 
【００１１】
加熱接着材による製本の最終工程は冷却となるが、先行技術文献では、冷却工程は記載は無いが、この工程での背表紙部の強い圧着が、最終的に用紙の曲がり歪みを抑え製本の良否を決める。
熱溶融接着材の冷却固化前の段階で接着部をフリーとするなど操作を誤ると、ここまでの作業が台無しとなる。
【００１２】
上製本表紙の作成について、少部数の表紙を手作りで市販本並に作製出来きる機材は存在せず個人での作製は難しく専門業者に依頼する他なかった。現在出願特許「  特開２０１６−０４１５０２」は、この問題を解決するものであるが、制作作業時の表紙型枠、可動耳白棒の固定が不十分で作業中での用紙とのずれに課題が残った。
【課題を解決するための手段】
【００１３】
紙揃え器は、紙置き台の書籍背表紙側に背面補助板と上面側には上面紙揃え板を設け、これらを支えとして書籍用紙を背表紙側を中心に紙揃えをする。背面補助板には、この中央部で紙置き台との間にガイドスリットを設け、このガイドスリットの中で上下する用紙圧着板を取り付ける。用紙圧着板は直行する２面を持つＬ型材を用い、１面を紙抑え部とし、他の面には、斜めに切られた支点ガイド溝と、これに嵌まる引張り力変換支点を背面補助板上に設け、パッチン錠での用紙圧着板の側面からの引張り力を変換して、用紙圧着板を引き下し、紙揃えの終わった用紙を紙置き台に圧着保持する構造とする。
またパッチン錠の引っ張りアームにはネジ構造のアーム調整ボルトと圧着幅調整ネジを設け、書籍用紙の厚さに合わせて圧着幅を調整できてズレ緩みの無い紙揃えをする。
【００１４】
紙揃え器で固定された用紙は、糊付けバインダーの固着位置を一定とするため、紙置き台に密着した位置で糊付けバインダーをはめ、用紙を固着保持した後、紙揃え器を外し製本作業台の用紙受け口に移す。
糊付けバインダーは、２本の挟み板の１端に貫通穴を設け、この貫通穴に締め付け用のコイルばねを嵌めた連結ボルトを通し、用紙の厚さに合わせて締圧を調整する締圧調整ネジ、及び連結ボルトの脇に挟み板を少し開いて用紙の挿し込みを容易とする作業幅調整ネジを設けた構造とする。２本の挟み板の他端の一方には台座を設けて前項と同様のアーム調整ボルト、締圧調整ネジを設けたパッチン錠を取り付け、他の挟み板には、圧着幅調整ネジ用の嵌め込み用のスリットを設けた構造とする。
コイルばねとパッチン錠は共に挟み板の圧着力を強めるためのものである。
【００１５】
糊つけ作業台の用紙受け口には、用紙の糊付け面を上にして、糊付けバインダーで圧着固定した用紙を置いて、糊付け面にはホットメルトなど熱溶融性の接着剤を塗布する。この接着は、加熱アイロン又は鏝によって用紙が前後に曲がる強度で抑え、背表紙面の用紙の積層面に接着剤を塗り込む様にして接着する。
上製本の場合は、無線綴じ、糸綴じ共に糊付けが終わった書籍用紙の背面を書籍用紙の最初と最後のページに入れられた見返し用紙と共に、書籍背面を補強部材で包む様に接着し、表紙へ取り付け準備をする。 
【００１６】
糊付け作業の終わった並製本書籍用紙は、糊付けバインダーで圧着したまま表紙用紙で包み、これをで加熱バインダーの作業幅調整ネジで間隔を開かれた圧着受け板との間に置き、下部の加熱プレートで、高温で加熱し熱溶融接着剤が溶けた時点で、表紙との密着を確認して、パッチン錠により圧着製本する。
加熱バインダーと圧着受け板は、１端は糊付けバインダーと同様に、両者に設けた貫通穴と、締め付け用のコイルばねを嵌めた連結ボルトと、締圧を調整する書籍厚調整ネジ、及び連結ボルトの脇の用紙の挿し込みを容易とする作業幅調整ネジを設けた構成とする。他端は圧着受け板側の製本作業台に取り付けられたパッチン錠で加熱バインダーを引きつけ圧着する構造とする。
更にこれと同一構造の圧着冷却台で、表紙加熱圧着後の書籍を挿し込み冷却バインダーと圧着受け板の間に入れて、圧着冷却することで、最初の紙揃えから冷却製本まで連続的に圧着保持して書籍の曲がり緩みを排除して製本する。
【００１７】
圧着冷却台は、製本の最終工程で背表紙の糊付け部を強く圧着整形しながら自然冷却する。  構造は加熱バインダーと類似で、冷却バインダーの一端はコイルばねを通した連結ボルトで製本受け板を繋ぎ、他端は、製本作業台に取り付けパッチン錠のアーム調整ボルトと、アーム調整ネジ部で、冷却バインダーの他端に繋ぎ、背表紙部を挟み圧着しながら接着材を冷却する構造とする。これにより最初の紙揃え状態を最後まで保持して、製本を完成させるものである
なお、冷却バインダーの両端をパッチン錠とすることで、より強い圧着力を得ることもできる。
【００１８】
表紙作製板は作業板と表紙型枠及び嵌め込み調整板で構成され、作業板の上下には、表紙型枠の嵌まる型枠受けガイドを設け、表紙型枠は、上製本の背表紙左右の折白を取る耳白棒と可動耳白棒を上下で繋ぐ耳白棒保持枠で構成する。
可動耳白棒には上下の耳白保持枠内で可動するスライドバーを設け、この上下スライドバーにより、両耳白棒の間隔を背表紙幅に合わせた後、耳白棒固定ネジによって耳白保持枠にスライドバーを固定出来る構造とする。次に表紙用紙を作業板上で表紙型枠に合わせて挟んだ上、簡易パッチン錠によって作業板に固定する構造とする。 
上製本の表紙作成は、表紙型枠に沿って、背表紙、表、裏表紙の芯材を両面テープその他の接着材によって接着した後、表紙型枠を外して表紙の芯材を包む様に折込み接着する。
【００１９】
並製本表紙の作製は、作業板の裏面を利用して行う。作業板の裏面上部の表紙ガイドに表紙用紙を合わせ、これに直行する側面に筋付け突起と、別に作業板表面の型枠受けガイド上下を利用した嵌め込み調整板の筋付け幅調整突起を背表紙幅に合わせて行う。
こ両突起の上に印刷された表紙用紙の背表紙位置を２つの突起に合わせて置き、更に表紙の上端を表紙ガイドに合わせ、用紙の上からこれをローラーで押して折筋を付ける。
並製本表紙はこの折筋の沿って折り曲げて作成する
【発明の効果】
【００２０】
以上説明したように、書籍用紙揃え器、糊付け作業台、加熱プレートと加熱バインダー、冷却バインダー及び上製本表紙作製治具、並製本表紙折筋付け治具によって、少部数の各種の製本作業の全作業を簡単で確実容易に可能とするものである。
また各種バインダーは全工程を通して、製品品質に最も多く影響する書籍用紙のずれを簡単な操作で皆無とするものである。
【００２１】
製本時の用紙揃えの良否は、製本の良否に大きく影響するものであるが、先行文献の書籍用紙揃え器は揃え終えた書籍用紙を、動作の不安定なクリップでの仮止め後、糊り付け作業用の糊付けバインダーに置き換え固定しているため、作業中の用紙ズレを皆無にすることは困難である。  この発明では最初の用紙揃えの状態をパッチン錠をによって簡単で強く確実に保持して製本出来る。
【００２２】
糊付けバインダーでに挟んだ書籍用紙は、作業台上で、背表紙面を上にして、加熱したアイロン又は鏝によって溶融した接着剤を塗布付し、且つ接着材を強く擦り込み確実な接着をすることを特徴とするため、先行技術文献の一方の固定にクリップを利用した場合は、用紙の挟み強度が悪く、接着材の塗布時に用紙ズレの発生を招く場合がある。本発明のパッチン錠の利用は、簡単な操作で書籍用紙を強く挟むことが可能で、クリップ使用の場合と比較して作業に強い力は必要とせず。大幅に作業性が向上し、確実な糊付け作業が出来る。 
【００２３】
製本糊付け作業台に設けられた加熱プレートと加熱バインダーは、糊付けされた書籍用紙を表紙に包んで加熱し、接着剤の溶けた時点で強く圧着して、緩みの無い均一な接着による上質の製本を可能とする。
先行文献の発明では、書籍バインダーの一端をばねボルトで綴じ、他端はクリップで綴じているが、本発明では、書籍の厚さに合わせて締め付け締めつけ間隔をネジで調整できる改造パッチン錠を用いることにより、強い締め付け力と、大幅な作業性の向上が図られる。
【００２４】
冷却台は加熱工程で接着剤の均一化と、整形された書籍の余熱段階での変形歪みを無くすとともに、更に強い力で加圧圧着を続けて、冷却するもので、書籍の緩み、変形を更に修正することがが出来る。
【００２５】
先行技術文献による表紙作製板は、作業板上で表紙の印刷用紙と表紙型枠の位置合わせ後、型枠に沿っての表紙芯材の接着のさい、表紙型枠または可動耳白棒が動いて作業ミスの原因となることがあり、これを避けるため表紙型枠は作業板の型枠受けガイドにパっチン錠で固定し、可動耳白棒は上下の耳白棒保持枠内のスライドバーの調整により、可動耳白棒と耳白棒との間隔を背表紙幅合わせたのち、上下の耳白棒固定ネジで耳白棒保持枠に固定して、作業中の移動を防ぐものである。
【図面の簡単な説明】
【００２６】
【図１】用紙揃え器本体で、図は上から正面図、上面図を示す。
【図２】糊付けバインダーで、図は上から上面図、正面図を示す。
【図３】製本作業台で上から正面図、上面図、側面図を示す。
【図４】表紙作製板で、図は上から上面図と側面図、表紙型枠の上面図と側面図（スライドバー透視図を含む）、作業板裏面の筋付け突起の上面図と側面図を示す。
【発明を実施するための最良の形態】
【００２７】
紙揃え器１は、紙置き台１１の書籍背表紙側に背面補助板１２と上面側には上面紙揃え板１３を設ける。背面補助板１２と、紙置き台１１との中央部で間にガイドスリット１４を設け、このガイドスリット１４の中で上下する用紙圧着板１５を取り付ける。用紙圧着板１５は直行する２面を持つＬ型材を用い、１面を紙抑え部とし、他の面には、斜めに切られた支点ガイド溝１６と、これに嵌まる引張り力変換支点１７を背面補助板１２上に設け、パッチン錠２での用紙圧着板１５の側面からの引張り力を変換して、紙揃えの終わった用紙を紙置き台１１に圧着保持する構造とする。
またパッチン錠２の引っ張りアーム２１にはネジ構造のアーム調整ボルト２２と圧着幅調整ネジ２３を設け、書籍用紙の厚さに合わせて圧着幅を調整できる構造とする。
【００２８】
紙揃え器１で固定された用紙は、糊付けバインダー３の固着位置を一定とするため、紙置き台１１に密着した位置で糊付けバインダー３をはめ、用紙を固定保持した後、紙揃え器１１を外し製本作業台４の用紙受け口４１に移す。
糊付けバインダー３は、２本の挟み板３１の１端に貫通穴を設け、この貫通穴に締め付け用のコイルばね３３を嵌めた連結ボルト３２を通し、用紙の厚さに合わせて締圧を調整する締圧調整ネジ３４、及び連結ボルト３２の脇に挟み板３１を少し開いて用紙の挿し込みを容易とする作業幅調整ネジ３５を設けた構造とする。２本の挟み板３１の他端の一方には台座を設けて前項と同様のアーム調整ボルト３７、締圧調整ネジ３８を設けたパッチン錠３６を取り付け、対応する挟み板３１の他端には、圧着幅調整ネジ３８用の嵌め込み用のスリット３９を設け、パッチン錠３６によって２本の挟み板３１を引きつけ圧着する構造とする。 
コイルばね３３とパッチン錠３６は共に挟み板３１の圧着力を強めるためのものである。
【００２９】
製本作業台４の用紙受け口４１には、用紙の糊付け面を上にして、糊付けバインダー３で圧着固定した用紙を置いて、糊付け面にはホットメルトなど熱溶融性の接着剤を塗布する。この接着は、加熱アイロン又は鏝によって用紙が前後に曲がる強度で抑え、背表紙面の用紙の積層面に接着剤を塗り込む様にして接着する。
上製本の場合は、無線綴じ、糸綴じ共に、糊付けが終わった書籍用紙の背面を書籍用紙の最初と最後のページに入れる見返し用紙と共に製本背面の補強部材で、これらを包む様に接着し、表紙へ取り付け準備をする。
【００３０】
糊付け作業の終わった並製本書籍用紙は、糊付けバインダー３で圧着したまま表紙用紙で包み、これを加熱プレート４２上で、加熱バインダー４３の作業幅調整ネジ４８で間隔を調整された圧着受け板４４との間に置いて加熱し、熱溶融接着剤が溶けた時点で、表紙との密着を確認して、パッチン錠４９により圧着製本する。
加熱バインダー４３と圧着受け板４４は、１端は糊付けバインダー３と同様に、両者に設けた貫通穴と、締め付け用のコイルばね４６を嵌めた連結ボルト４５と、締圧を調整する書籍厚調整ネジ４７、及び連結ボルト４５の脇の用紙の挿し込みを容易とする作業幅調整ネジ４８を設けた構成とする。他端は圧着受け板４４側の製本作業台４に取り付けられたパッチン錠４９で加熱バインダー４３を引きつけ圧着する構造とする。
パッチン錠の締め圧は、糊付けバインダー３と同様にアーム調整ボルト４９１、アーム調整ネジで４９２調整できる構造とする。
【００３１】
圧着冷却台５は、製本の最終工程で背表紙の糊付け部を強く圧着整形しながら冷却する。その構造は加熱プレート部４２を除いて前項と同様で、冷却バインダー５１と製本受け板５２をコイルばね５５を通した連結ボルト５３と圧着調整ネジ５４、及び作業幅調整ネジで構成し、他端は製本作業台４に取り付けパッチン錠５７のアーム調整ボルト５８と、アーム調整ネジ５９で構成し、冷却バインダー５１の他端のスリットに嵌めて、圧着しながら接着材を冷却する。これにより最初の紙揃え状態を最後まで保持して、製本を完成させることが出来る。 
なお、冷却バインダー５１の両端をパッチン錠とすることで、より強い圧着力を得ることもできる。
【００３２】
表紙作製板６は、作業版６１と表紙型枠６３及び嵌め込み調整板７４で構成され、作業板６１の表上下には、表紙型枠６３の嵌まる型枠受けガイド６２を設け、表紙型枠６３は、上製本の背表紙左右の折白を取る耳白棒６４と可動耳白棒６５を上下で繋ぐ耳白棒保持枠６６で構成する。
可動耳白棒６５には、上下の耳白保持枠６６内で可動するスライドバー６９を設け、この上下スライドバー６９により、両耳白棒の間隔を背表紙幅に合わせた後、耳白棒固定ネジ６８、６７によって耳白保持枠６６にスライドバー６９を固定出来る構造とする。次に表紙用紙を作業板上６１で表紙型枠６３に合わせて挟んだ上、簡易パッチン錠６９１によって作業板６１に固定し、上製本表、裏、背表紙の芯材を型枠に沿って接着する構造とする。
更に表紙作成板６の裏面には、上下に平行の表紙ガイド７１を設け、これと直行する片方の側面に筋付け突起７２と、これと対となる筋付け調背表紙幅調整整突起７３を取り付けた嵌め込み調整板７４を作業板６１表面の上下の型枠受けガイド６２に嵌めて、左右に調整し出来る構造とする。
並製本の作製は、両筋つけ突起の間隔を背表紙幅に合わせた後、ローラで抑えて筋付けすることにより、１台の作業板で並製本、上製本表紙を作製ができる。
【００３３】
上製本表紙の作製は、表紙作成板６の上で固定された表紙型枠６３に合わせて、表紙用紙を差し込み、背表紙、表及び裏表紙の芯材を表紙型枠６３に沿って両面テープその他の接着剤で接着した後、表紙型枠６３を外して、表紙の芯材を包む様に折込み接着する。
【００３４】
並製本表紙の作製は、作業板６１の裏面を利用して行う。作業板６１の裏面上部の表紙ガイド７１に表紙の上面を合わせ、これと直行する側面の筋付け突起７２と、作成板６１の表面側の型枠受ガイド６２に沿ってスライド調整できる背表紙筋付け突起７３を背表紙部に合わせた上、背表紙部を上からローラーで押して折筋を付ける。並製本表紙は、この折筋の沿って折り曲げて作成する
【符号の説明】
【００３５】
１    用紙揃え器
１１    紙置き台
１２    背面補助板
１３    上面用紙揃え板
１４    ガイドスリット
１５    用紙圧着板
１６    支点ガイド溝
１７    引張り力変換支点
２      パッチン錠（紙揃え）
２１    引張りアーム
２２    アーム調整ボルト 
２３    圧着幅調整ネジ 
３   糊付けバインダー 
３１    挟み板
３２    連結ボルト
３３    コイルばね
３４    締圧調整ネジ
３５    作業幅調整ネジ
３６    パッチン錠(糊付け）
３７    アーム調整ボルト
３８    圧着幅調整ネジ
３９    嵌め込みスリット） 
４    製本作業台 
４１    用紙受け口
４２    加熱プレート
４３    加熱バインダー 
４４    圧着受け板
４５    連結ボルト
４６    コイルばね
４７    書籍厚調整ネジ
４８    作業幅調整ネジ
４９    パッチン錠（加熱）
４９１  アーム調整ボルト
４９２  アーム調整ネジ
５    圧着冷却台
５１    冷却バインダー
５２    製本受板
５３    連結ボルト
５４    圧着調整ネジ
５５    コイルばね
５６    作業幅調整ネジ
５７    パッチン錠（冷却）
５８    アーム調整ボルト
５９    締め圧調整ネジ
６    表紙作製板
６１    作業板
６２    型枠受けガイド上下
６３    表紙型枠
６４    耳白棒
６５    可動耳白棒
６６    耳白棒保持枠
６７    耳白棒固定ネジ下 
６８    耳白棒固定ネジ上   
６９    スライドバー（透視図） 
６９１  簡易パッチン錠 
７      筋付け器具 
７１    表紙ガイド 
７２    筋付け調整突起
７３    背表紙幅調整突起
７４    嵌め込み調整板
【図１】
2018001452.tif 000003
【図２】
2018001452.tif 000004
【図３】
2018001452.tif 000005
【図４】
2018001452.tif 000006